(57)【要約】【課題】回収コンベアが停止する異常時であっても遊技媒体の回収を可能とする。【解決手段】遊技媒体回収装置１６は、一対の遊技機列４Ａから排出された遊技媒体を回収して遊技媒体補給装置１４に搬送する回収コンベア１８を備える。回収コンベア１８は、互いに並設された主コンベア２６と副コンベア２８とを備える。主コンベア２６が停止した異常時、副コンベアベルト３８が駆動される。遊技媒体使用機器１０から排出された遊技媒体Ｃは、主コンベアベルト３０上に積み重ねられた遊技媒体Ｃおよび仕切り壁４６を乗り越えて駆動状態にある副コンベアベルト３８上に至る。副コンベアベルト３８上に至った遊技媒体Ｃは、副コンベアベルト３８によって遊技媒体補給装置１４に向けて搬送され、遊技媒体補給装置１４に回収される。【選択図】図７
2015159839.tif 000002
【特許請求の範囲】
【請求項１】
遊技媒体使用機器から排出された遊技媒体を搬送する回収コンベアを備える遊技媒体回収装置であって、
前記回収コンベアは、互いに並設された主コンベアと副コンベアとを備え、
前記主コンベアが駆動する通常時、前記遊技媒体使用機器から排出された遊技媒体を前記主コンベアで搬送し、
前記主コンベアが停止した異常時、前記遊技媒体使用機器から排出された遊技媒体を前記副コンベアで搬送する、
ことを特徴とする遊技媒体回収装置。
【請求項２】
前記主コンベアは、主コンベアベルトと、前記主コンベアベルトの案内機構と、前記主コンベアベルトを走行駆動させる駆動手段とを含んで構成され、
前記副コンベアは、副コンベアベルトと、前記副コンベアベルトの案内機構と、前記副コンベアベルトを走行駆動させる駆動手段とを含んで構成され、
前記副コンベアベルの幅は前記主コンベアベルトの幅よりも小さい、
ことを特徴とする請求項１記載の遊技媒体回収装置。
【請求項３】
前記主コンベアベルトと前記副コンベアベルトは並設され、
それら主コンベアベルトと副コンベアベルトとの間に仕切り壁が設けられ、
前記通常時、前記遊技媒体使用機器から排出された遊技媒体は、前記主コンベアベルト上に落下され、
前記異常時、前記遊技媒体使用機器から排出された遊技媒体は、前記主コンベアベルト上に積み重ねられた遊技媒体および前記仕切り壁を乗り越えて前記副コンベアベルト上に至る、
ことを特徴とする請求項２記載の遊技媒体回収装置。
【請求項４】
前記仕切り壁を昇降させる昇降手段と、
前記昇降手段を制御する昇降制御手段とが設けられている、
ことを特徴とする請求項３記載の遊技媒体回収装置。
【請求項５】
前記遊技媒体使用機器から排出された遊技媒体が落下する前記主コンベアベルトの箇所に、前記主コンベアベルト上に積み重ねられた遊技媒体の山積み状態を崩す山積み状態崩壊手段が設けられている、
ことを特徴とする請求項３または４記載の遊技媒体回収装置。
【請求項６】
前記主コンベアが異常により停止したことを検出する異常検出手段と、
前記異常検出手段により前記主コンベアの停止が検出された場合に前記副コンベアによる遊技媒体の搬送を実行させる搬送制御手段とが設けられている、
ことを特徴とする請求項１〜５に何れか１項記載の遊技媒体回収装置。
【請求項７】
前記搬送制御手段は、前記主コンベアベルトが駆動される通常時において、間欠的に所定の時間、前記副コンベアによる遊技媒体の搬送を実行させる、
ことを特徴とする請求項６記載の遊技媒体回収装置。
【発明の詳細な説明】
【技術分野】
【０００１】
本発明は、遊技媒体回収装置に関する。
【背景技術】
【０００２】
遊技店には、遊技機と、遊技機に併設され遊技媒体の払い出しを行なう貸出機（以下単に貸出機という）とが並べられて構成された遊技島が設置されている。
これら遊技機および貸出機から排出された遊技媒体は、遊技機および貸出機の下方で遊技島の延在方向に沿って配置された回収コンベアに排出され、回収コンベアによって回収された遊技媒体は、揚送装置によって揚送されたのち、媒体補給装置によって遊技機および貸出機に補給される（特許文献１参照）。
一方、遊技者が獲得した遊技媒体を計数する計数機は、島端や遊技島から離れた箇所に設置されているため、遊技者は遊技媒体の計数を行なうために、計数機のある場所まで移動する必要がある。
【０００３】
そこで、近年、遊技者の利便性の向上を図るため、遊技機に併設された貸出機に遊技媒体の計数を行なう各台計数機が一体に組み込まれた各台計数機付貸出機が提供されている（特許文献２参照）。
各台計数機付貸出機の各台計数機に投入された遊技媒体は、各台計数機で計数されたのち、直接回収コンベアに排出されて上記と同様に回収、揚送、補給される。
したがって、各台計数機付貸出機が導入された遊技島では、回収コンベアで回収する遊技媒体は、遊技機から排出される遊技媒体と、各台計数機付貸出機から排出される遊技媒体との双方となるため、大量となる。
【先行技術文献】
【特許文献】
【０００４】
【特許文献１】特開２００８−４３６９４号公報
【特許文献２】特開２０１２−１１０２７号公報
【発明の概要】
【発明が解決しようとする課題】
【０００５】
ところで、回収コンベアが故障して停止した場合、停止した回収コンベア上に遊技媒体が滞留してしまい、遊技媒体を回収して遊技機や各台計数機付貸出機に補給できなくなる。
特に、各台計数機が導入された遊技島では、遊技機と、各台計数機付貸出機との双方から大量の遊技媒体が回収コンベア上に排出されるのでなおさらである。
したがって、回収コンベアが故障して停止した場合、遊技者の利便性が損なわれ、遊技店の稼働率に影響を与えるおそれがある。
本発明は、上記事情に鑑みてなされたものであり、その目的は、回収コンベアが停止する異常時であっても遊技媒体の回収を可能とした遊技媒体回収装置を提供することにある。
【課題を解決するための手段】
【０００６】
上記目的を達成するために、請求項１記載の発明は、遊技媒体使用機器から排出された遊技媒体を搬送する回収コンベアを備える遊技媒体回収装置であって、前記回収コンベアは、互いに並設された主コンベアと副コンベアとを備え、前記主コンベアが駆動する通常時、前記遊技媒体使用機器から排出された遊技媒体を前記主コンベアで搬送し、前記主コンベアが停止した異常時、前記遊技媒体使用機器から排出された遊技媒体を前記副コンベアで搬送することを特徴とする。
請求項２記載の発明は、前記主コンベアは、主コンベアベルトと、前記主コンベアベルトの案内機構と、前記主コンベアベルトを走行駆動させる駆動手段とを含んで構成され、前記副コンベアは、副コンベアベルトと、前記副コンベアベルトの案内機構と、前記副コンベアベルトを走行駆動させる駆動手段とを含んで構成され、前記副コンベアベルの幅は前記主コンベアベルトの幅よりも小さいことを特徴とする。
請求項３記載の発明は、前記主コンベアベルトと前記副コンベアベルトは並設され、それら主コンベアベルトと副コンベアベルトとの間に仕切り壁が設けられ、前記通常時、前記遊技媒体使用機器から排出された遊技媒体は、前記主コンベアベルト上に落下され、前記異常時、前記遊技媒体使用機器から排出された遊技媒体は、前記主コンベアベルト上に積み重ねられた遊技媒体および前記仕切り壁を乗り越えて前記副コンベアベルト上に至ることを特徴とする。
請求項４記載の発明は、前記仕切り壁を昇降させる昇降手段と、前記昇降手段を制御する昇降制御手段とが設けられていることを特徴とする。
請求項５記載の発明は、前記遊技媒体使用機器から排出された遊技媒体が落下する前記主コンベアベルトの箇所に、前記主コンベアベルト上に積み重ねられた遊技媒体の山積み状態を崩す山積み状態崩壊手段が設けられていることを特徴とする。
請求項６記載の発明は、前記主コンベアが異常により停止したことを検出する異常検出手段と、前記異常検出手段により前記主コンベアの停止が検出された場合に前記副コンベアによる遊技媒体の搬送を実行させる搬送制御手段とが設けられていることを特徴とする。
請求項７記載の発明は、前記搬送制御手段は、前記主コンベアベルトが駆動される通常時において、間欠的に所定の時間、前記副コンベアによる遊技媒体の搬送を実行させることを特徴とする。
【発明の効果】
【０００７】
請求項１記載の発明によれば、主コンベアが停止した異常時であっても遊技媒体使用機器から排出された遊技媒体を副コンベアで搬送するため、遊技媒体の回収ができる。そのため、遊技媒体使用機器の動作に影響を与えることがないため、遊技者の利便性を損なうことがなく、遊技店の稼働率を確保する上で有利となる。
請求項２記載の発明によれば、主コンベアベルトに比べて使用頻度が低い副コンベアベルの幅を主コンベアベルトの幅よりも小さい幅で形成したので、回収コンベアのコンパクト化を図る上で有利となる。
請求項３記載の発明によれば、遊技媒体使用機器から排出される遊技媒体は、仕切り壁によって位置が規制されることにより、停止状態にある副コンベアベルト上に遊技媒体が停滞して回収できない遊技媒体の発生を抑制する上で有利となる。
請求項４記載の発明によれば、副コンベアベルト上あるいは主コンベア上に停滞して回収できない遊技媒体の発生を抑制する上でより有利となる。
請求項５記載の発明によれば、主コンベア上に停滞して回収できない遊技媒体の発生を抑制する上でより有利となる。
請求項６記載の発明によれば、主コンベアの異常停止時に、人手を介することなく迅速かつ確実に副コンベアを駆動する上で有利となる。
請求項７記載の発明によれば、副コンベアの駆動を抑制しつつ、副コンベアベルト上に停滞した遊技媒体を回収する上で有利となる。
【図面の簡単な説明】
【０００８】
【図１】第１の実施の形態の遊技媒体回収装置が適用された遊技島の一部を示す正面図である。
【図２】図１のＡＡ線断面図である。
【図３】回収コンベアの配置を示す遊技島の平面図である。
【図４】回収コンベアの正面図である。
【図５】副コンベアベルトを走行駆動させる副駆動手段の構成図である。
【図６】回収コンベアの断面図である。
【図７】主コンベアベルト上に遊技媒体が積み重ねられた状態を示す回収コンベアの断面図である。
【図８】第２の実施の形態の遊技媒体回収装置の制御系の構成を示すブロック図である。
【図９】第３の実施の形態の遊技媒体回収装置の回収コンベアの断面図である。
【図１０】第４の実施の形態の遊技媒体回収装置の回収コンベアの断面図である。
【発明を実施するための形態】
【０００９】
（第１の実施の形態）
以下、本発明の実施の形態について添付図面を参照して説明する。
まず、本発明が適用される遊技島の構成について説明する。
図１に示すように、遊技島２は、遊技機４と、遊技機４に併設された貸出機６とが並べられて構成され、遊技島２は、補給コンベア１２と、遊技媒体補給装置１４と、本発明に係る遊技媒体回収装置１６とを含んで構成されている。
なお、本実施の形態では、遊技機４、貸出機６、後述する各台計数機８（図２）が遊技媒体使用機器１０を構成している。
また、本実施の形態では、遊技媒体がメダル（コイン）であり、遊技機４がスロットマシンであり、貸出機６がメダル貸機である場合について説明するが、遊技媒体、遊技機４、貸出機６の種類は限定されるものではない。
【００１０】
遊技機４は、遊技者が遊技媒体を使用して遊技を行なうものである。
貸出機６は、遊技者に対して遊技媒体の払い出し（貸し出し）を行なうものである。
遊技機４および貸出機６は、水平方向に沿って延在する単一の膳板７の上に設置されている。
本実施の形態では、図２に示すように、遊技者が獲得した遊技媒体を計数するための各台計数機８が貸出機６の下部に内蔵されており、貸出機６の前面には、各台計数機８へ遊技媒体を投入するための不図示の投入口が設けられている。したがって、本実施の形態において貸出機６は、各台計数機８が一体的に組み込まれた各台計数機付貸出機６を構成している。
このように各台計数機付貸出機６が併設された遊技機４が、本実施の形態では、図３に示すように、複数直線状に並べられて遊技機列４Ａを構成しており、この遊技機列４Ａは互いに対向するように一対設けられ遊技島２を構成している。
【００１１】
図１に示すように、補給コンベア１２は、遊技島２に設けられ、遊技媒体を遊技機４または各台計数機付貸出機６に搬送するものである。
補給コンベア１２は、一対の遊技機列４Ａの間で遊技機４および各台計数機付貸出機６の上方にそれら遊技機列４Ａの延在方向に沿って延在し、遊技媒体補給装置１４から送り出された所定量の遊技媒体を水平方向に向けて搬送するものである。
【００１２】
図１に示すように、遊技媒体補給装置１４は、遊技島２の島端に設けられ、後述する回収コンベア１８で回収された遊技媒体を補給コンベア１２の上流端に所定量送り出すものである。
遊技媒体補給装置１４は、回収された遊技媒体を洗浄する洗浄装置、洗浄された遊技媒体を補給コンベア１２まで揚送する揚送装置を含んでいる。
また、遊技媒体補給装置１４は、制御部１４０２と、表示部１４０４とを備えている。
制御部１４０２は、遊技媒体補給装置１４の制御を行なうものであり、補給コンベア１２、回収コンベア１８で故障が発生して停止した場合に異常信号を受け付ける。
表示部１４０４は、遊技媒体補給装置１４の動作状態を表示するものであり、例えば、液晶ディプレイなどの画像表示装置、あるいは、警告灯などを含んで構成されている。
本実施の形態では、制御部１４０２は、上記異常信号を受け付けると、補給コンベア１２あるいは回収コンベア１８が故障して停止している旨の警告を画像表示装置に文字情報として表示させ、あるいは、警告灯を点灯（点滅）させる。
【００１３】
次に、遊技媒体回収装置１６について説明する。
図１〜図３に示すように、遊技媒体回収装置１６は、一対の遊技機列４Ａから排出された遊技媒体を回収して遊技媒体補給装置１４に搬送する回収コンベア１８を備える。
回収コンベア１８は、一対の遊技機列４Ａの間で遊技機４および各台計数機付貸出機６の下方にそれら遊技機列４Ａの延在方向に沿って延在し、一対の遊技機列４Ａから排出された遊技媒体を水平方向で遊技媒体補給装置１４に向けて搬送するものである。
【００１４】
図２に示すように、一対の遊技機列４Ａの各台計数機８から排出された遊技媒体は、各台計数機８毎に遊技媒体案内部２０を介して回収コンベア１８上に排出される。
本実施の形態では、遊技媒体案内部２０は、第１のシュート２２と、第２のシュート２４とを含んでいる。
第１のシュート２２は、膳板７に取着されており上部開口２２０２と下部開口２２０４とを有している。上部開口２２０２は膳板７に形成された孔７Ａを介して各台計数機８の排出口８Ａに連通している。
第２のシュート２４は、回収コンベア１８に取着されており上部開口２４０２と下部開口２４０４とを有している。上部開口２４０２は第１のシュート２２の下部開口２２０４に連通し、下部開口２４０４は回収コンベア１８の上方の離間した箇所に位置して回収コンベア１８上に向けられている。
したがって、各台計数機８から排出された遊技媒体は、第１、第２のシュート２２、２４を介し第２のシュート２４の下部開口２４０４から回収コンベア１８上に落下し、回収コンベア１８上に排出される。
一方、一対の遊技機列４Ａの遊技機４および各台計数機付貸出機６から排出された遊技媒体も、遊技機４および各台計数機付貸出機６毎に上記遊技媒体案内部２０と同様に構成された遊技媒体案内部２０を介して回収コンベア１８上に排出される。詳細には、遊技機４および各台計数機付貸出機６から排出された遊技媒体は、上記と同様に、第１、第２のシュート２２、２４を介し第２のシュート２４の下部開口２４０４から回収コンベア１８上に落下し、回収コンベア１８上に排出される。
また、本実施の形態では、一方の遊技機列４Ａの各遊技媒体案内部２０と、他方の遊技機列４Ａの各遊技媒体案内部２０とは、図３に示すように、回収コンベア１８の長手方向に沿って交互に並べられている。
【００１５】
次に、回収コンベア１８について説明する。
図３に示すように、回収コンベア１８は、互いに並設された主コンベア２６と副コンベア２８とを備える。
主コンベア２６は、複数の遊技媒体使用機器１０から排出された遊技媒体を遊技媒体補給装置１４に向けて搬送するものである。
図４、図６に示すように、主コンベア２６は、主コンベアベルト３０と、主コンベアベルト３０を走行駆動させる主駆動手段３２と、主コンベアベルト３０に載置された遊技媒体の荷重を支える主支持板３４とを含んで構成されている。
一対の遊技機列４Ａの各台計数機８毎の遊技媒体案内部２０の第２のシュート２４の下部開口２４０４および遊技機４および貸出機毎の遊技媒体案内部２０の第２のシュート２４の下部開口２４０４は、主コンベアベルト３０上に向けられ、一対の遊技機列４Ａから排出される遊技媒体は主コンベアベルト３０上に落下され、主コンベアベルト３０上に排出される。
主駆動手段３２は、遊技媒体補給装置１４側に配置された駆動プーリ３２０２と、遊技媒体補給装置１４と反対側の島端に配置された従動プーリ３２０４と、駆動プーリ３２０４の下方に配置された駆動モータ３２０６と、駆動モータ３２０６の動力を駆動プーリに伝達する動力伝達機構３２０８とを含んで構成されている。
主コンベアベルト３０は、駆動プーリ３２０２と従動プーリ３２０４との間に掛け渡され、上方に位置する主コンベアベルト３０部分で遊技媒体を搬送し、上方に位置する主コンベアベルト３０部分の下面に主支持板３４が配設されている。主支持板３４は、上方に位置する主コンベアベルト３０部分のほぼ全長にわたって設けられている。また、下方に位置する主コンベアベルト３０部分には、主コンベアベルト３０に張力を与える不図示のテンション機構が設けられている。
なお、それら駆動プーリ３２０２、従動プーリ３２０４、主支持板３４は、例えば、図６に示すように、断面がＬ字型の鋼材からなる複数の脚部３６０２と、断面がＬ字型の鋼材からなりそれら脚部３６０２の上部を連結する上部材３６０４とからなるフレーム３６を介して支持されている。
フレーム３６の下部は、回収コンベア１８の全長にわたって直線状に延在するベース３８に支持されている。
【００１６】
副コンベア２８は、主コンベア２６が停止した異常時、複数の遊技媒体使用機器１０から排出された遊技媒体を遊技媒体補給装置１４に向けて搬送するものである。
図４、図６に示すように、副コンベア２８は、副コンベアベルト３８と、副コンベアベルト３８を走行駆動させる副駆動手段４０と、副コンベアベルト３８に載置された遊技媒体の荷重を支える副支持板４２とを含んで構成されている。
副コンベアベルト３８は主コンベアベルト３０と並設され、それらコンベアベルト３０、３８は互いに平行して直線状に延在している。
副コンベア２８は異常時に駆動されることから、主コンベアベルト３０に比べて使用頻度が低く、副コンベアベルト３８の幅は主コンベアベルト３０の幅よりも小さい幅で形成され、回収コンベア１８のコンパクト化が図られている。
なお、副コンベアベルト３８の幅は主コンベアベルト３０の幅と同じ幅で形成されていても、あるいは、主コンベアベルト３０の幅よりも大きな幅で形成されていてもよい。
副駆動手段４０は、遊技媒体補給装置１４側の島端と遊技媒体補給装置１４と反対側の島端との間に配置された駆動プーリ４００２と、遊技媒体補給装置１４側の島端と遊技媒体補給装置１４と反対側の島端とのそれぞれ配置された一対の従動プーリ４００４、４００６と、駆動プーリ４００２の下方に配置された駆動モータ４００８と、駆動モータ４００８の動力を駆動プーリ４００２に伝達する動力伝達機構４０１０とを含んで構成されている。
副コンベアベルト３８は、一対の従動プーリ４００４、４００６の間に掛け渡され、上方に位置する副コンベアベルト３８部分で遊技媒体を搬送し、上方に位置する副コンベアベルト３８部分の下面に副支持板４２が配設されている。副支持板４２は、上方に位置する副コンベアベルト３８部分のほぼ全長にわたって設けられている。
また、図５に示すように、駆動プーリ４００２は、下方に位置する副コンベアベルト３８部分に配置されている。
駆動プーリ４００２の両側には、副コンベアベルト３８を駆動プーリ４００２に押し当てるためのガイドプーリ４０２０が設けられ、駆動プーリ４００２の動力が副コンベアベルト３８に確実に伝達されるように図られている。
また、下方に位置する副コンベアベルト３８部分には、副コンベアベルト３８に張力を与える不図示のテンション機構が設けられている。
なお、それら駆動プーリ４００２、従動プーリ４００４、４００６、副支持板４２は、例えば、フレーム３６を介して支持されている。
また、副駆動手段４０の駆動モータ４００８は、遊技島２の適宜箇所、例えば、図１に示すように、遊技媒体補給装置１４に設けられた副コンベアスイッチ１４０６のオン、オフ操作により電力の供給、停止が制御されるように構成されている。
【００１７】
図６に示すように、主コンベア２６と副コンベア２８を含む回収コンベア１８の両側には、回収コンベア１８の長手方向に沿って側壁４４が設けられ、側壁４４は回収コンベア１８の全長にわたって延在している。側壁４４は、主コンベア２６が停止した際に主コンベアベルト３０上に山積みとなる遊技媒体の回収コンベア１８外への移動を阻止するものである。
主コンベアベルト３０と副コンベアベルト３８との間に仕切り壁４６が設けられ、仕切り壁４６は回収コンベア１８の全長にわたって延在している。
本実施の形態では、仕切り壁４６は、主支持板３４の端部と副支持板４２の端部とが屈曲され重ね合わされて形成されている。
仕切り壁４６は、通常時、遊技媒体使用機器１０から排出される遊技媒体を主コンベアベルト３０上に位置させ、副コンベアベルト３８へ移動させないように機能し、また、異常時、遊技媒体使用機器１０から排出された遊技媒体Ｃの副コンベアベルト３８上への移動を許容するものである。
なお、本実施の形態では、主支持板３４と副支持板４２とが別体で構成されている場合について説明したが、主支持板３４と副支持板４２とが一体的に構成されていてもよいことは無論である。
【００１８】
次に、本実施の形態の遊技媒体回収装置１６の作用効果について説明する。
通常時、主コンベア２６の駆動モータ３２０６が駆動されることにより、主コンベアベルト３０が常時駆動されており、副コンベア２６の駆動モータ４００８は駆動されていないため、副コンベアベルト３８は停止状態にある。
複数の遊技媒体使用機器１０から排出された遊技媒体は、遊技媒体案内部２０を介して常時駆動されている主コンベアベルト３０上に排出される。
遊技媒体は、主コンベアベルト３０によって遊技媒体補給装置１４に向けて搬送され、遊技媒体補給装置１４に回収される。
回収された遊技媒体は、洗浄装置で洗浄されたのち揚送装置により補給コンベア１２まで揚送され、再び補給コンベア１２を介して遊技媒体使用機器１０に補給される。
本実施の形態では、遊技媒体使用機器１０から排出される遊技媒体は、仕切り壁４６によって位置が規制されることにより、停止状態にある副コンベアベルト３８への移動が抑制され主コンベアベルト３０上に位置される。
したがって、停止状態にある副コンベアベルト３８上に遊技媒体が停滞して回収できない遊技媒体の発生を抑制する上で有利となり、遊技島２における遊技媒体の使用効率を高め、ひいては、遊技島２当たりで使用する遊技媒体の削減を図る上で有利となる。
【００１９】
次に、主コンベア２６に異常が発生して主コンベア２６の駆動モータ３２０６が停止状態になったものとする。このような主コンベア２６の異常としては、主コンベアベルト３０の切断、駆動プーリ３２０２や従動プーリ３２０４のベアリング破損、遊技媒体がテンション機構に巻き込まれるなどの現象が挙げられる。
このような主コンベア２６が停止した異常時、媒体補給装置の制御部１４０２は、異常信号を受け付けることにより、表示部１４０４に回収コンベア１８が異常により停止した旨を表示させる。
遊技店の従業員は、表示部１４０４の表示を視認すると、副コンベアスイッチ１４０６をオン操作する。これにより、副コンベア２８の駆動モータ４００８が駆動を開始し、副コンベアベルト３８が駆動される。
【００２０】
図７に示すように、複数の遊技媒体使用機器１０から排出された遊技媒体Ｃは、遊技媒体案内部２０を介して停止状態にある主コンベアベルト３０上に排出され、主コンベアベルト３０上に積み重ねられていく。
初期段階では、遊技媒体使用機器１０から排出される遊技媒体Ｃは、仕切り壁４６によって位置が規制されることにより、駆動状態にある副コンベアベルト３８への移動が抑制され主コンベアベルト３０上に位置される。
しかしながら、主コンベアベルト３０上に積み重ねられた遊技媒体Ｃの量が増えて山積み状態となり、遊技媒体Ｃの山が仕切り壁４６と同じ高さ、あるいは、仕切り壁４６よりも高い高さとなると、遊技媒体使用機器１０から排出された遊技媒体Ｃは、主コンベアベルト３０上に積み重ねられた遊技媒体Ｃおよび仕切り壁４６を乗り越えて駆動状態にある副コンベアベルト３８上に至る。
したがって、副コンベアベルト３８上に至った遊技媒体Ｃは、副コンベアベルト３８によって遊技媒体補給装置１４に向けて搬送され、遊技媒体補給装置１４に回収される。
回収された遊技媒体Ｃは、洗浄装置で洗浄されたのち揚送装置により補給コンベア１２まで揚送され、再び補給コンベア１２を介して遊技媒体使用機器１０に補給される。
本実施の形態では、副コンベア２８による遊技媒体Ｃの回収を実施している間に、主コンベア２６の故障を修理することができる。そして、主コンベア２６の駆動が可能となった時点で、副コンベアスイッチ１４０６をオフ操作して副コンベア２８の駆動を停止すれば、主コンベア２６によって遊技媒体Ｃを回収する通常時に復帰する。
【００２１】
したがって、本実施の形態によれば、主コンベア２６が停止した異常時、複数の遊技媒体使用機器１０から排出された遊技媒体Ｃを副コンベア２８で搬送するため、遊技媒体使用機器１０から排出された遊技媒体Ｃが回収コンベア１８上に大量に停滞することがない。
したがって、主コンベア２６が停止した異常時であっても遊技媒体Ｃの回収ができる。
そのため、遊技媒体使用機器１０の動作に影響を与えることがないため、遊技者の利便性を損なうことがなく、遊技店の稼働率を確保する上で有利となる。
【００２２】
（第２の実施の形態）
次に、図８を参照して第２の実施の形態について説明する。
なお、以下の実施の形態において、第１の実施の形態と同様の部分、部材については同一の符号を付してその説明を省略し、相違する点について重点的に説明する。
【００２３】
第１の実施の形態では、副コンベアスイッチ１４０６により、副コンベア２８の駆動を制御したが、第２の実施の形態は、人手を介することなく、主コンベア２６の異常停止時に自動的に副コンベア２８を駆動するようにした点が第１の実施の形態と異なっている。
図８に示すように、遊技媒体回収装置１６は、異常検出手段４８と、搬送制御手段５０とを含んで構成されている。
異常検出手段４８は、主コンベア２６が異常により停止したことを検出し、その検出結果を搬送制御手段５０に報知するものである。
異常検出手段４８としては、例えば、主コンベア２６の駆動モータ３２０６の動作を検出する第１のセンサと、主コンベアベルト３０の動作を検出する第２のセンサとを用いて構成することができる。
この場合、異常検出手段４８は、第１のセンサで駆動モータ３２０６が動作であることが検出され、かつ、第２のセンサで主コンベアベルト３０が停止したことが検出された場合に主コンベア２６の異常停止を検出する。
搬送制御手段５０は、異常検出手段４８により主コンベア２６の停止が検出された場合に副コンベア２８による遊技媒体Ｃの搬送を実行させるものである。
搬送制御手段５０は、例えば、遊技媒体補給装置１４の制御部１４０２で構成することができる。
【００２４】
第２の実施の形態によれば、第１の実施の形態と同様の効果が奏されることは無論のこと、異常検出手段４８により主コンベア２６の異常停止が検出されると、搬送制御手段５０により自動的に副コンベア２８が駆動されるため、主コンベア２６の異常停止時に、人手を介することなく迅速かつ確実に副コンベア２８を駆動する上で有利となる。
【００２５】
なお、主コンベアベルト３０が駆動される通常時において、遊技媒体使用機器１０から主コンベアベルト３０上に排出された遊技媒体Ｃの大半は主コンベアベルト３０上に留まるが、ごく一部の遊技媒体Ｃは、落下時の勢いによって主コンベアベルト３０上から停止状態の副コンベアベルト３８上に移動する可能性がある。
このように停止状態にある副コンベアベルト３８上に停滞して回収できない遊技媒体Ｃが有ると、遊技島２における遊技媒体Ｃの使用効率を高める上で不利となる。
そこで、主コンベアベルト３０が駆動される通常時において、搬送制御手段５０が間欠的に（例えば、予め定められた時間間隔で予め定められた期間）副コンベア２８による遊技媒体Ｃの搬送を実行させるようにすると、副コンベア２８の駆動を抑制しつつ、言い換えると、副コンベア２８の駆動モータ４０００８の電力消費を抑制しつつ、副コンベアベルト３８上に停滞した遊技媒体Ｃを回収でき、遊技島２における遊技媒体Ｃの使用効率を高める上で有利となり、遊技島２当たりで使用する遊技媒体Ｃの削減を図る上で有利となる。
【００２６】
（第３の実施の形態）
次に、図９を参照して第３の実施の形態について説明する。
第３の実施の形態は、仕切り壁を昇降させるようにしたものである。
図９に示すように、主支持板３４と副支持板４２との間に、回収コンベア１８の延在方向の全長にわたって開口５２が形成されている。
開口５２には、回収コンベア１８の延在方向の全長にわたって仕切り壁５２が配置されており、仕切り壁５４は、ベース３８上に設けられた電磁ソレノイド５６により昇降可能に支持されている。
本実施の形態では、電磁ソレノイド５６が昇降手段を構成している。
より詳細には、電磁ソレノイド５６の可動鉄心５６０２の先端が仕切り壁５４の下部に連結されている。
電磁ソレノイド５６は、遊技媒体補給装置１４の制御部１４０２から供給される電流によって動作するものであり、例えば、電流の非供給時に、可動鉄心５６０２は付勢部材により突出しており、電流の供給時に、可動鉄心５６０２は付勢部材の付勢力に抗して没入される。
可動鉄心５６０２が突出すると、仕切り壁５４は、その上端が主コンベア２６および副コンベア２８の上面よりも高い箇所である上位置Ｐ１に位置し、これにより遊技媒体使用機器１０から排出される遊技媒体Ｃを主コンベアベルト３０上に位置させ、副コンベアベルト３８へ移動させないように機能する。
可動鉄心５６０２が没入すると、仕切り壁５４は、その上端が主コンベア２６および副コンベア２８の上面とほぼ同一の高さである下位置Ｐ２に位置し、これにより遊技媒体Ｃの主コンベア２６から副コンベア２８への移動を妨げないように機能する。
【００２７】
本実施の形態では、制御部１４０２は、主コンベアベルト３０の動作状態に応じて仕切り壁５４を昇降させる昇降制御手段を構成している。
すなわち、通常時、主コンベアベルト３０が駆動されている状態では、電磁ソレノイド５６に電流を供給せず、仕切り壁５４を上位置Ｐ１に位置させる。
また、異常時、主コンベアベルト３０が停止している状態では、電磁ソレノイド５６に電流を供給して、仕切り壁５４を下位置Ｐ２に位置させる。
なお、主コンベアベルト３０の動作状態の検出は、第１の実施の形態における副コンベアスイッチ１４０６の動作状態に基づいてなされてもよいし、第２の実施の形態における異常検出手段４８の検出動作に基づいてなされてもよく、主コンベアベルト３０の動作状態の検出を行なう手段は任意である。
【００２８】
第３の実施の形態によれば、通常時、主コンベアベルト３０が駆動されている場合は、仕切り壁５４を上昇させることで、遊技媒体Ｃを主コンベアベルト３０上に位置させ、副コンベアベルト３８へ移動させない状態とすることにより、副コンベア２８に滞留する遊技媒体Ｃの数を低減する上で有利となる。
また、異常時、主コンベアベルト３０が停止し、副コンベアベルト３８が駆動されている場合は、遊技媒体使用機器１０から主コンベアベルト３０上に排出された遊技媒体Ｃの大半は主コンベアベルト３０上に留まるが、一部の遊技媒体Ｃは、落下時の勢いによって主コンベアベルト３０上から副コンベアベルト３８上に移動する可能性がある。そこで、仕切り壁５４を下降させることで、このような遊技媒体Ｃの主コンベア２６から副コンベア２８への移動を妨げない状態とすることにより、主コンベア２６に滞留する遊技媒体Ｃの数を低減する上で有利となる。
したがって、停止状態にある副コンベアベルト３８上あるいは停止状態にある主コンベア２６上に停滞して回収できない遊技媒体Ｃの発生を抑制する上でより有利となり、遊技島２における遊技媒体Ｃの使用効率をより高め、ひいては、遊技島２当たりで使用する遊技媒体Ｃの削減を図る上でより一層有利となる。
【００２９】
（第４の実施の形態）
次に、図１０を参照して第４の実施の形態について説明する。
第４の実施の形態は、主コンベアベルト３０上に積み重ねられた遊技媒体Ｃの山積み状態を崩すようにしたものである。
図１０に示すように、遊技媒体使用機器１０から排出された遊技媒体Ｃが落下する主コンベアベルト３０の箇所に、主コンベアベルト３０上に積み重ねられた遊技媒体Ｃの山積み状態を副コンベアベルト３８側に向かって崩す山積み状態崩壊手段５８が設けられている。
山積み状態崩壊手段５８は、主コンベアベルト３０の副コンベア２８と反対側の側部に設けられた電磁ソレノイド６０と、電磁ソレノイド６０の可動鉄心６００２の先端に取着された押し板６２とを備えている。図１０において符号６４は電磁ソレノイド６０を側壁４４に取着する取り付け部材を示す。
電磁ソレノイド６０は、第３の実施の形態と同様に、遊技媒体補給装置１４の制御部１４０２から供給される電流によって動作し、電流の非供給、供給に応じて、可動鉄心６００２は突出、没入される。
可動鉄心６００２が没入すると、押し板６２は、主コンベア２６の上方から副コンベア２８と反対側の側部に退避した箇所である退避位置Ｐ３に位置し、これにより遊技媒体使用機器１０から排出された遊技媒体Ｃが主コンベアベルト３０上に落下するのを妨げないように機能する。
可動鉄心６００２が突出すると、押し板６２は、退避位置Ｐ３から主コンベアベルト３０の副コンベアベルト３８寄りの箇所である突出位置Ｐ４に位置し、これにより主コンベアベルト３０上に積み重ねられた遊技媒体Ｃの山積み状態を副コンベアベルト３８に向けて崩すように機能する。
【００３０】
本実施の形態では、制御部１４０２は、主コンベアベルト３０の動作状態に応じて仕切り壁５４を昇降させる。
すなわち、通常時、主コンベアベルト３０が駆動されている状態では、電磁ソレノイド６０に電流を供給せず、押し板６２を退避位置に位置させる。
また、異常時、主コンベアベルト３０が停止している状態では、間欠的に（例えば、予め定められた時間間隔で予め定められた期間）、電磁ソレノイド６０に電流を供給して、押し板６２を退避位置と突出位置との間で往復移動させる。
なお、主コンベアベルト３０の動作状態の検出は、第３の実施の形態と同様の手段で行なうことができる。
【００３１】
第４の実施の形態によれば、異常時、主コンベアベルト３０が停止し、副コンベアベルト３８が駆動されている場合は、山積み状態崩壊手段５８によって、主コンベアベルト３０上に積み重ねられた遊技媒体Ｃの山積み状態を崩すことにより、主コンベア２６に滞留する遊技媒体Ｃの数を低減する上で有利となる。
したがって、停止状態にある主コンベア２６上に停滞して回収できない遊技媒体Ｃの発生を抑制する上でより有利となり、遊技島２における遊技媒体Ｃの使用効率をより高め、ひいては、遊技島２当たりで使用する遊技媒体Ｃの削減を図る上でより一層有利となる。
また、第４の実施の形態では、山積み状態崩壊手段５８が電磁ソレノイド６０と押し板６２とで構成されている場合について説明したが、山積み状態崩壊手段５８は、主コンベアベルト３０上に積み重ねられた遊技媒体Ｃの山積み状態を崩すことができるものであればよい。
したがって、山積み状態崩壊手段５８として、主コンベア２６の主支持板３４を振動させるアクチュエータを用いるなど任意である。
また、第３の実施の形態と第４の実施の形態とを組み合わせても良いことは無論である。
【００３２】
なお、実施の形態では、主コンベア２６が１つ、副コンベア２８が１つ設けられている場合について説明した。
しかしながら、主コンベア２６と副コンベア２８とが一対一でなくてもよく、１つの副コンベア２８の両側にそれぞれ主コンベア２６を設けるなど、主コンベア２６と副コンベア２８との組み合わせは任意である。
【符号の説明】
【００３３】
２  遊技島
４  遊技機
６  各台計数機付貸出機
８  各台計数機
１０  遊技媒体使用機器
１４０２  制御部（昇降制御手段）
１６  遊技媒体回収装置
１８  回収コンベア
２６  主コンベア
２８  副コンベア
３０  主コンベアベルト
３２  主駆動手段
３８  副コンベアベルト
４０  副駆動手段
４６  仕切り壁
４８  異常検出手段
５０  搬送制御手段
５４  仕切り壁
５６  電磁ソレノイド（昇降手段）
５８  山積み状態崩壊手段
【図１】
2015159839.tif 000003
【図２】
2015159839.tif 000004
【図３】
2015159839.tif 000005
【図４】
2015159839.tif 000006
【図５】
2015159839.tif 000007
【図６】
2015159839.tif 000008
【図７】
2015159839.tif 000009
【図８】
2015159839.tif 000010
【図９】
2015159839.tif 000011
【図１０】
2015159839.tif 000012